(57)【要約】  温室効果ガスクレジットを製品取引とパッケージ化するための方法には、１つまたは複数の製品に関連する温室効果ガス排出量を決定する工程が含まれる。この方法にはまた、１つまたは複数の製品の温室効果ガス排出の少なくとも一部を相殺するために必要とされる温室効果ガスクレジット量を決定する工程が含まれる。この方法には、温室効果ガスクレジット量に関連する取引価格を決定する工程がさらに含まれる。この方法にはまた、温室効果ガスクレジットに関連する決定購入価格に基づいて、取引パッケージを見込み顧客に提供する工程が含まれる。
2009532762.tif 000002
【特許請求の範囲】
【請求項１】
温室効果ガスクレジットを製品取引とパッケージ化するための方法であって、
１つまたは複数の製品に関連する温室効果ガス排出量を決定する工程と、
１つまたは複数の製品の温室効果ガス排出の少なくとも一部を相殺するために必要とされる温室効果ガスクレジット量を決定する工程と、
温室効果ガスクレジット量に関連する取引価格を決定する工程と、
温室効果ガスクレジットに関連する決定購入価格に基づいて、取引パッケージを見込み顧客に提供する工程と、
を含む方法。
【請求項２】
温室効果ガス排出量を決定する工程が、
１つまたは複数の製品に関連する動作中に収集された排出データを受信する工程と、
収集された排出データに基づいて温室効果ガス排出量を決定する工程と、
を含む、請求項１に記載の方法。
【請求項３】
温室効果ガス排出量を決定する工程が、
１つまたは複数の製品に関連する１つまたは複数の装置仕様書を受信する工程と、
受信した装置仕様書に基づいて温室効果ガス排出量を見積もる工程と、
を含む、請求項１に記載の方法。
【請求項４】
取引価格を決定する工程が、
温室効果ガスクレジットの以前の取引に関連する履歴データを分析する工程と、
温室効果ガスクレジットの現在の取引に関連する市場価格を分析する工程と、
履歴データ分析および市場価格分析の少なくとも１つに基づいて取引価格を確定する工程と、
を含む、請求項１に記載の方法。
【請求項５】
取引パッケージを提供する工程が、
１つまたは複数の製品に関連する取引価格を確定する工程と、
１つまたは複数の製品に関連する取引価格および温室効果ガスクレジット量に関連する取引価格の合計を含む取引オファーを生成する工程と、
を含む、請求項１に記載の方法。
【請求項６】
コンピュータシステム上で用いるためのコンピュータ可読媒体であって、請求項１に記載の方法を実行するためのコンピュータ実行可能命令を有するコンピュータ可読媒体。
【請求項７】
コンソール（１１６）と、
コンソールに結合された入力装置（１１６）と、
コンソールおよび入力装置と通信する中央処理装置（１１１）であって、
１つまたは複数の製品に関連する温室効果ガス排出量を決定し、
１つまたは複数の製品の温室効果ガス排出の少なくとも一部を相殺するために必要とされる温室効果ガスクレジット量を決定し、
温室効果ガスクレジット量に関連する取引価格を決定し、
かつ温室効果ガスクレジットに関連する決定取引価格に基づいて、取引パッケージを見込み顧客に提供する
ように構成された中央処理装置（１１１）と、
を含むコンピュータシステム（１１０）。
【請求項８】
温室効果ガス排出量を決定する工程が、
１つまたは複数の製品に関連する動作中に収集された排出データを受信する工程と、
収集された排出データに基づいて温室効果ガス排出量を決定する工程と、
を含む、請求項７に記載のシステム。
【請求項９】
温室効果ガス排出量を決定する工程が、
１つまたは複数の製品に関連する装置仕様書を、入力装置を介して受信する工程と、
受信した装置仕様書に基づいて温室効果ガス排出量を見積もる工程と、
を含む、請求項７に記載のシステム。
【請求項１０】
取引価格を決定する工程が、
温室効果ガスクレジットの以前の取引に関連する履歴データを分析する工程と、
温室効果ガスクレジットの現在の取引に関連する市場価格を分析する工程と、
履歴データ分析および市場価格分析の少なくとも１つに基づいて取引価格を確定する工程と、
を含む、請求項７に記載のシステム。
【発明の詳細な説明】
【技術分野】
【０００１】
本開示は、一般に、温室効果ガスクレジットの取引のためのシステムおよび方法に関し、特に、機械、エンジンまたはガスタービンなどの特定の製品の取引と温室効果ガスクレジットをパッケージ化するためのシステムおよび方法に関する。
【背景技術】
【０００２】
環境への温室効果ガスの排出は、国際社会で気懸かりな話題になっている。温室効果ガス排出は、気候変動、および変化する天候パターンの潜在的悪影響の原因に帰されることが多い。多くの国々が、国家的および国際的協定を通して、それらの温室効果ガス排出を削減することを約束した。最も顕著には、京都議定書の批准によって、先進加盟国は温室効果ガス排出の総量を削減すると約束した。
【０００３】
温室効果ガス排出削減割り当て量を満たすために、加盟国の多くの政府が、国内で稼動する施設および他の排出源からの温室効果ガス排出量に制限を課す法律を制定した。政府はまた、目標温室効果ガス排出制限を超える施設および他の排出源について、組織に罰金および／または他のペナルティを課し、かつ組織に操業上の説明責任を課す場合がある。したがって、これらの国々で操業する組織が、温室効果ガス排出削減プロセスおよび／もしくは技術の実際の実行、または温室効果ガスクレジットの購入などの他の排出関連活動に従事することによって、自身の目標制限を満たす経済的インセンティブがあり得る。さらに、温室効果ガス排出源が、目標より下のレベルまで排出を削減する場合には、結果として、その排出源から温室効果ガスクレジットを発生することができる。これらの温室効果ガスクレジットは、資産として蓄積するか、または温室効果ガスクレジットを受け入れて、それらを温室効果ガス自身の排出削減目標に適用したい他のエンティティに販売し、それによって、別の状況では、新しいプロセスおよび／または技術の適用を通して自身の温室効果ガス排出削減目標を満たせない可能性があるエンティティに、購入選択肢を提供してもよい。京都議定書および同様の法的措置の条項が施行できるようになるとともに、これらの条項の要件を遵守するために、温室効果ガスクレジットに対する需要が著しく増加する可能性がある。したがって、温室効果ガスクレジットに対する潜在的な需要の増加に対処するために、温室効果ガス排出クレジットを市場に出し、かつ取引するためのシステムが必要になる可能性がある。
【０００４】
温室効果ガスクレジットを市場に出し、かつ取引するための少なくとも１つの方法が開発された。例えば、サンダー（Ｓａｎｄｏｒ）の（特許文献１）は、温室効果ガスクレジット取引市場の創設、管理および運営を説明している。（特許文献１）のシステムには、各取引参加者用に排出クレジット情報を記憶するレジストリと、割当量および保持情報に基づいて参加者間の取引を可能にするための取引プラットフォームと、が含まれる。（特許文献１）のシステムによって、一人または複数の参加者は、市場の他の参加者と温室効果ガスクレジットを購入および販売することが可能になる。取引プラットフォームによってまた、参加者は、リアルタイムで取引活動を観察することが可能になる。
【０００５】
（特許文献１）のシステムによって、参加者は温室効果ガスクレジットを購入および販売することが可能になるが、このシステムでは、参加者は、他の製品または商品と共にパッケージとして販売するために温室効果ガスクレジットを市場に出すことができない。さらに、（特許文献１）のシステムが、温室効果ガスクレジットを他の製品とパッケージ化できないので、これらの製品および／または他の排出源によって発生される温室効果ガス排出を相殺するために温室効果ガスクレジットを購入することに依存するエンティティは、温室効果ガスクレジットを取得するための追加手段が必要になり得る。例えば、ある状況において、エンティティは、新しい温室効果ガス排出製品の取得が、温室効果ガスクレジットの相応しい量の割り当てによって相殺されることを保証する追加的な会計システムを要望するかまたは必要とする可能性がある。温室効果ガスクレジットを製品取引とパッケージ化するための開示した方法は、上述の問題の１つまたは複数を克服することに関する。
【０００６】
【特許文献１】米国特許出願公開第２００４／００３９６８４号明細書
【発明の開示】
【課題を解決するための手段】
【０００７】
一態様によれば、本開示は、温室効果ガスクレジットを製品取引とパッケージ化するための方法に関する。この方法には、１つまたは複数の製品に関連する温室効果ガス排出量を決定する工程を含んでもよい。この方法にはまた、１つまたは複数の製品の温室効果ガス排出の少なくとも一部を相殺するために必要とされる温室効果ガスクレジット量を決定する工程を含んでもよい。この方法には、温室効果ガスクレジット量に関連する取引価格を決定する工程をさらに含んでもよい。この方法にはまた、温室効果ガスクレジットに関連する決定購入価格に基づいて、取引パッケージを見込み顧客に提供する工程を含んでもよい。
【０００８】
別の態様によれば、本開示は、顧客入力に基づいて、製品に関連する取引パッケージを組み立てるための方法に関する。この方法には、仕様書の選択可能なリストを顧客に提供する工程を含んでもよい。この方法にはまた、顧客によって選択された仕様書を受信する工程を含んでもよい。この方法には、仕様書に関連する製品を識別する工程をさらに含んでもよい。この方法にはまた、製品に関連する潜在的な温室効果ガス排出量を見積もる工程を含んでもよい。この方法には、温室効果ガス排出バランスに適用された場合に、製品に関連する温室効果ガス排出の少なくとも一部だけバランスを下げる温室効果ガスクレジット量を見積もる工程をさらに含んでもよい。この方法にはまた、温室効果ガスクレジットおよび製品仕様書に対応する製品用の取引価格を決定する工程を含んでもよい。この方法には、取引価格に基づいて、取引パッケージを顧客に提供する工程をさらに含んでもよい。
【０００９】
さらに別の態様によれば、本開示は、コンピュータシステムに関する。コンピュータシステムには、コンソール、コンソールに結合された入力装置、ならびにコンソールおよび入力装置と通信する中央処理装置を含んでもよい。中央処理装置は、１つまたは複数の製品に関連する温室効果ガス排出量を決定するように構成してもよい。中央処理装置はまた、１つまたは複数の製品の温室効果ガス排出の少なくとも一部を相殺するために必要とされる温室効果ガスクレジット量を決定するように構成してもよい。中央処理装置は、温室効果ガスクレジット量に関連する取引価格を決定するようにさらに構成してもよい。中央処理装置はまた、温室効果ガスクレジットに関連する決定取引価格に基づいて、取引パッケージを見込み顧客に提供するように構成してもよい。
【発明を実施するための最良の形態】
【００１０】
図１は、開示した実施形態と一致する原理および方法を実施できる例示的なシステム１１０を示す。図１に示すように、システム１１０には、温室効果ガスクレジットの持ちかけられた取引に関連する情報を収集、監視、記憶、分析、評価、分配、報告、処理、記録、および／または分類するように構成された１つまたは複数のハードウェアおよび／またはソフトウェアコンポーネントを含んでもよい。例えば、システム１１０には、例えば中央処理装置（ＣＰＵ）１１１、ランダムアクセスメモリ（ＲＡＭ）モジュール１１２、読み出し専用メモリ（ＲＯＭ）モジュール１１３、記憶装置１１４、データベース１１５、１つまたは複数の入力／出力（Ｉ／Ｏ）装置１１６およびインタフェース１１７など、１つまたは複数のハードウェアコンポーネントを含んでもよい。代替および／または追加として、システム１１０には、例えば、温室効果ガスクレジットパッケージの持ちかけられた取引に関連する方法を実行するためのコンピュータ実行可能命令を含むコンピュータ可読媒体など、１つまたは複数のソフトウェアコンポーネントを含んでもよい。本開示のために、取引は、例えば、販売、レンタル、リース、購入、取得、または特定の製品の使用のための任意の他の適切な合意などの任意の商取引を指す。上記に挙げたハードウェアコンポーネントの１つまたは複数は、ソフトウェアを用いて実現可能だと考えられる。例えば、記憶装置１１４には、システム１１０の１つまたは複数の他のハードウェアコンポーネントに関連するソフトウェアパーティションを含んでもよい。システム１１０には、追加コンポーネント、上記で挙げたコンポーネントより少数および／またはそれらとは異なるコンポーネントを含んでもよい。上記で挙げたコンポーネントが、単に例示的であり、限定的であるようには意図されていないことが理解される。
【００１１】
ＣＰＵ１１１には、１つまたは複数のプロセッサを含んでもよく、各プロセッサは、命令を実行しデータを処理して、システム１１０に関連する機能を実行するように構成される。図１に示すように、ＣＰＵ１１１は、ＲＡＭ１１２、ＲＯＭ１１３、記憶装置１１４、データベース１１５、Ｉ／Ｏ装置１１６およびインタフェース１１７に通信可能に結合してもよい。ＣＰＵ１１１は、コンピュータプログラム命令のシーケンスを実行して様々なプロセスを遂行するように構成してもよいが、これは、以下で詳細に説明する。コンピュータプログラム命令は、ＣＰＵ１１１による実行のためにＲＡＭにロードしてもよい。
【００１２】
ＲＡＭ１１２およびＲＯＭ１１３には、それぞれ、システム１１０および／またはＣＰＵ１１１の動作に関連する情報を記憶するための１つまたは複数の装置を含んでもよい。例えば、ＲＯＭ１１３には、システム１１０の１つまたは複数のコンポーネントおよびサブシステムの動作を識別、初期化および監視するための情報を始めとする、システム１１０に関連する情報にアクセスし記憶するように構成されたメモリ装置を含んでもよい。ＲＡＭ１１２には、ＣＰＵ１１１の１つまたは複数の動作に関連するデータを記憶するためのメモリ装置を含んでもよい。例えば、ＲＯＭ１１３は、ＣＰＵ１１１による実行のために、命令をＲＡＭ１１２にロードしてもよい。
【００１３】
記憶装置１１４には、開示した実施形態と一致するプロセスを実行するためにＣＰＵ１１１が必要とする可能性がある任意のタイプの情報を記憶するように構成された任意のタイプの大容量記憶装置を含んでもよい。例えば、記憶装置１１４には、ハードドライブ、ＣＤ−ＲＯＭ、ＤＶＤ−ＲＯＭまたは任意の他のタイプの大容量媒体装置など、１つまたは複数の磁気および／または光ディスク装置を含んでもよい。
【００１４】
データベース１１５には、システム１１０および／またはＣＰＵ１１１が用いるデータを記憶、編成、分類、フィルタリングおよび／または整列する１つまたは複数のソフトウェアおよび／またはハードウェアコンポーネントを含んでもよい。例えば、データベース１１５は、温室効果ガスクレジットの取引に関連する価格情報、１つまたは複数の製品および／もしくは１つまたは複数のタイプの製品の取引に関連する価格情報、または製品仕様書に関連するパッケージ価格を決定するためにＣＰＵ１１１が用いる可能性がある任意の他の情報などの履歴情報を記憶してもよい。同様に、データベース１１５は、各タイプの製品に関連する排出データを記憶してもよい。排出データには、例えば、製品によって排出されるあるガスのタイプおよび量など、特定のタイプの製品に関連する排出を示す任意の情報を含んでもよい。排出データにはまた、製品に関連する、以前の動作から収集された履歴排出データを含んでもよい。排出データにはまた、様々なタイプの製品に対して実施された排出試験に関連する試験データを含んでもよい。データベース１１５は、追加情報および／または上記に挙げた情報とは異なる情報を記憶してもよいと考えられる。
【００１５】
Ｉ／Ｏ装置１１６には、システム１１０に関連する情報をユーザと通信するように構成された１つまたは複数のコンポーネントを含んでもよい。例えば、Ｉ／Ｏ装置には、システム１１０に関連する入力パラメータをユーザが入力できるようにする、一体化されたキーボードおよびマウスを備えたコンソールを含んでもよい。Ｉ／Ｏ装置１１６にはまた、情報をモニタに出力するためのグラフィカルユーザインタフェース（ＧＵＩ）を含むディスプレイを含んでもよい。Ｉ／Ｏ装置１１６にはまた、周辺装置を含んでもよいが、これらの周辺装置は、例えば、システム１１０に関連する情報を印刷するためのプリンタ、携帯型媒体装置に記憶されたデータをユーザが入力できるようにするユーザアクセス可能ディスクドライブ（例えば、ＵＳＢポート、フロッピー（登録商標）、ＣＤ−ＲＯＭもしくはＤＶＤ−ＲＯＭドライブ等）、マイクロホン、スピーカシステム、または任意の他の適切なタイプのインタフェース装置などである。
【００１６】
インタフェース１１７には、インターネット、ローカルエリアネットワーク、ワークステーションピアツーピアネットワーク、ダイレクトリンクネットワーク、無線ネットワーク、または任意の他の適切な通信プラットフォームなどの任意の適切な通信ネットワークを介してデータを送信および受信するように構成された１つまたは複数のコンポーネントを含んでもよい。例えば、インタフェース１１７には、１つまたは複数の変調器、復調器、マルチプレクサ、デマルチプレクサ、ネットワーク通信装置、無線装置、アンテナ、モデム、および任意の適切な通信ネットワークを介したデータ通信を可能にするように構成された任意の他のタイプの装置を含んでもよい。
【００１７】
システム１１０は、１つまたは複数の製品の潜在的取引に関連する情報を収集、分析、評価、報告および分配するように構成してもよい。製品の非限定的な例には、車両、エンジンシステム、ポンプ／モータ構成、発電所、タービンおよび機械システムを含んでもよい。一実施形態によれば、製品には、鉱業、建設、農業、輸送、発電または任意の他のタイプの産業などの産業に関連する作業を実施するための、内燃機関を含む機械システムを含んでもよい。製品には、温室効果ガスクレジットとパッケージ化して、取引パッケージ化の一部として顧客に販売できる任意の適切な物品が含まれると考えられる。システム１１０の例示的な動作方法は、以下で説明する。
【００１８】
開示した実施形態と一致する方法およびシステムによって、エンティティ（例えば販売業者、製造業者等）は、特定の機械によって生成される可能性がある温室効果ガス排出量を決定し、かつ製品と、１つまたは複数の製品によって生成される可能性がある温室効果ガス排出量を少なくとも部分的に相殺するために充当可能な温室効果ガスクレジット量と、を含む取引パッケージを組み立てることが可能になる。
【００１９】
図２は、開示した実施形態と一致して、温室効果ガスクレジットを製品の取引とパッケージ化するための例示的な方法を示すフローチャート２００を提供する。図２に示すように、この方法には、機械などの製品に関連する１つまたは複数の製品仕様書を受信する工程を含んでもよい（ステップ２１０）。本開示のために、製品仕様書には、１つまたは複数の製品に関連する任意のパラメータ、特性または態様も含んでもよいが、これらは、例えば、機械のタイプ、機能および／もしくは量と、エンジンサイズと、運搬能力と、燃料効率と、トルク出力と、予測される機械使用量（すなわち、車両マイル、エンジン時間、運転時間等）の目安と、排出量算定と、または顧客が要求する１つまたは複数の製品を表すことができる任意の他のタイプの仕様書などである。
【００２０】
これらの製品仕様書は、相関してもよい。例えば、顧客の製品選択に応じて、ＣＰＵ１１１は、データベース１１５にアクセスして、選択されたモデルに関連する１つまたは複数の所定の製品仕様書（エンジンタイプ、排出情報など）を選択してもよい。代替および／または追加として、顧客が、ある製品仕様書を手動で入力（またはリストから選択）して、装置ソリューションをカスタマイズしてもよい。この選択プロセスにより、システム１１０は、顧客の特定の必要性に基づいて製品取引パッケージを組み立てることが可能になる。
【００２１】
システム１１０に関連するＣＰＵ１１１は、１つまたは複数のＩ／Ｏ装置１１６を介して、顧客から製品仕様書を受信してもよい。代替および／または追加として、ＣＰＵ１１１は、インターネットを介して、オンラインの顧客から１つまたは複数の製品仕様書を受信してもよい。製品仕様書は、自動的にか、またはシステム１１０に関連するソフトウェアインタフェースによって供給されるプロンプトに応じて受信してもよいと考えられる。
【００２２】
例示的な一実施形態によれば、システム１１０は、装置パッケージを決定する際に利用可能な特定の製品仕様書に対して顧客をプロンプトする対話型のソフトウェアインタフェースを提供するように構成してもよい。例えば、ソフトウェアインタフェースは、利用可能な製品のリストから１つまたは複数のタイプの製品を選択するように顧客をプロンプトしてもよい。選択の際に支援するために、システム１１０は、製品および／または製品システムに関連する様々な動作パラメータを含む製品仕様書を提供してもよい。
【００２３】
製品仕様書を受信すると、システム１１０は、受信した製品仕様書に関連する製品を識別してもよい。例えば、ＣＰＵ１１１は、データベース１１５を検索して、顧客が提供した仕様書に対応する特定の製品を識別してもよい。代替および／または追加として、ＣＰＵ１１１は、仕様書の少なくともいくつかに対応する可能性がある製品リストを識別し、そのリストを顧客に提供してもよい。次に、顧客は、リストから１つまたは複数の製品を選択してもよい。
【００２４】
システム１１０は、顧客入力、平均使用統計、製品の動作に関連する排出データ、および／または製品に関連する試験データに基づいて、製品に関連する温室効果ガス排出量を決定してもよい（ステップ２２０）。排出レベルには、機械の動作中に生成される温室効果ガス排出に関連する１つまたは複数の排出量を含んでもよい。排出レベルは、時間当たりのポンド、年当たりのメートルトンなどの排出率として表現してもよい。一実施形態によれば、排出レベルは、製品の１つまたは複数の動作から収集または監視されたデータに基づいて、見積もり、監視し、かつ／もしくは推定してもよく、または製品の１つもしくは複数の設計、製造および／もしくは動作中における、様々な製品および製品構成の排出試験を通して取得してもよい。
【００２５】
一実施形態によれば、排出量を決定する工程には、製品の平均使用統計に基づいて、潜在的排出量を見積もる工程を含んでもよい。例えば、システム１１０は、機械に関連する履歴的動作および／または試験データに基づいて、製品の予想され、予測され、かつ／または見積もられた使用量（例えば時間／日、時間／年、マイル／年等）に基づいた、１つまたは複数の製品に関連する温室効果ガス排出量を予測してもよい。
【００２６】
代替として、システム１１０に関連するソフトウェアインタフェースによって、予期される動作レベル（例えば、１５００年間時間、２５００年間時間等）のリストを顧客に提供してもよく、このリストから、顧客は、１つまたは複数のレベルを選択してもよい。ひとたび顧客が選択すると、ＣＰＵ１１１は、相応しい製品タイプの予期される動作レベルに対応する、データベース１１５に記憶された履歴排出データにアクセスし、この履歴データを、製品の決定排出レベルとして用いてもよい。
【００２７】
代替として、排出量を決定する工程には、１つまたは複数の製品に関連する動作中に排出を監視する工程を含んでもよい。例えば、システム１１０は、１つまたは複数の製品に関連する動作を示すデータを受信してもよい。続いて、システム１１０は、受信した動作データに基づいて、排出量を決定してもよい。
【００２８】
１つまたは複数の製品に関連する排出レベルを決定すると、決定排出レベルに関連する温室効果ガスクレジット量を見積もってもよい（ステップ２３０）。予測は、製品によって生成される可能性がある見積もり排出レベルを少なくとも部分的に相殺するために必要とされ得る多くの温室効果ガスクレジットに基づいてもよい。予測はまた、顧客によって提供される情報に基づいてもよい。例えば、顧客は、製品によって生成される見積もり排出におけるあるパーセンテージだけ温室効果ガス排出バランスを下げることができる温室効果ガスクレジットを、各製品と共に購入しようと望む可能性がある。代替として、予測には、各製品によって生成される可能性がある、決定された温室効果ガス排出の全てを相殺する温室効果ガスクレジット量を含んでもよい。
【００２９】
ひとたび温室効果ガスクレジット量が見積もられ、かつ／または決定されると、装置パッケージの取引に関連する価格を決定してもよい（ステップ２４０）。例えば、システム１１０は、パッケージ価格を決定および／または計算するように構成してもよいが、このパッケージ価格には、１つもしくは複数の製品、および／または機械と共に含まれる温室効果ガスクレジットが含まれる。一実施形態において、パッケージ価格には、温室効果ガスクレジット市場の１つまたは複数で取引されるクレジット当たりの価格を計算することによって決定された温室効果ガスクレジットの適正市場価格に加えられた、製品の小売価格を含んでもよい。代替および／または追加として、温室効果ガスクレジットの価格は、温室効果ガスクレジットの値づけに関連する履歴データを分析すること、温室効果ガスクレジットに関連する将来の需要を予測すること、およびそれらに対応して、適正市場価格を調整することによって決定してもよい。
【００３０】
パッケージ価格にはまた、顧客が、温室効果ガスクレジットとバンドルされた製品を購入、レンタル、リースまたは使用するための付加的インセンティブを提供し得る割り引き価格を含んでもよい。この割り引き価格は、製品および／または温室効果ガスクレジットに関連する価格におけるあるパーセンテージとして決定してもよい。
【００３１】
システム１１０にはまた、最大利益幅を分析および／または最適化する利益分析ソフトウェアを含んでもよい。複数の装置パッケージが含まれ、各パッケージが、注文される製品数および提供される温室効果ガスクレジット量に依存する異なる値づけを伴ってもよいと考えられる。これらの価格は、予め決定されるか、または特定の顧客の必要性に基づいてカスタマイズされてもよいと考えられる。
【００３２】
ひとたびパッケージ価格が計算されると、取引パッケージを顧客に提供してもよい（ステップ２５０）。取引パッケージを顧客に提供する工程には、パッケージに含まれる製品の量およびタイプを項目化する工程、各製品に関連する価格、パッケージと共に含まれる温室効果ガスクレジットの数、温室効果ガスクレジットに関連する価格、およびオプションとして、割り引きされた合計パッケージ価格を含んでもよい。別の実施形態によれば、取引パッケージにはまた、温室効果ガスメンテナンスパッケージを購入するオプションを含んでもよい。取引パッケージには、特定の期間中における、製品の１つまたは複数に対する温室効果ガス排出レベルの周期的な分析を含んでもよい。もし、製品に関連する見積もり温室効果ガス排出レベルの増加ゆえに（例えば、製品が、顧客またはシステムが当初予測したより多くの排出物を生成している）、排出レベルを相殺するために追加的な温室効果ガスクレジットが必要になり得ることを排出分析が示した場合に、メンテナンスパッケージには、顧客が、温室効果ガスクレジットの値づけを、固定価格または市場にリンクされた価格に固定するオプションを含んでもよい。
【００３３】
取引パッケージは、ひとたび組み立てられると、Ｉ／Ｏ装置１１６を介して顧客に送信してもよい。代替および／または追加として、取引パッケージは、インターネットを通じてなど、オンライン顧客への通信ネットワークを介して顧客に送信してもよい。
【産業上の利用可能性】
【００３４】
取引パッケージの一部として温室効果ガスクレジットを販売するための開示した方法を、温室効果ガスクレジットを排出する製品に関連して説明したが、この方法は、温室効果ガスクレジットの取得が有用になり得る任意の製品で実行できると考えられる。特に、開示した実施形態と一致するプロセスは、潜在的な温室効果ガス排出源である製品を購入、リース、レンタル、さもなければ使用する顧客に、パッケージの一部として温室効果ガスクレジットを提供する方法を提供可能である。
【００３５】
温室効果ガスクレジットを製品取引とパッケージ化するための本開示の方法には、いくつかの利点があり得る。例えば、温室効果ガス排出が規制され制限される市場では、開示した実施形態と一致する方法によって、温室効果ガス排出源である新しい製品を購入する顧客は、自身の全体的温室効果ガス排出バランスに対する潜在的増加を相殺するために、パッケージの一部として温室効果ガスクレジットを購入することが可能になる。その結果、自身の温室効果ガス排出バランスを下げたい顧客は、温室効果ガス排出物生成製品の取得における影響を監視するための追加的資源を必要としないであろう。なぜなら、潜在的温室効果ガス排出は、パッケージの購入で相殺可能だからである。
【００３６】
さらに、システム１１０が、温室効果ガスクレジットを温室効果ガス排出物を排出する製品とパッケージ化するので、購入者および販売者は、温室効果ガスクレジット用の従来の取引市場から独立した市場を設立することができ、これによって、時には従来の商品市場の特徴となる極端な価格変動を低減することが可能になる。その結果、開示した実施形態と一致する方法によって、典型的には従来の商品市場とは関連のない価格安定性および信頼性の増加を提供することができる。
【００３７】
さらに、温室効果ガスクレジットを製品取引とパッケージ化することによって、システム１１０は、温室効果ガス排出バランスを下げる便利な方法を顧客に提供可能である。例えば、システム１１０は、顧客が、温室効果ガス排出物発生製品および温室効果ガスクレジットを同じ場所で購入、レンタル、リースまたは使用できるようにすることによって、温室効果ガスクレジットの販売への「ワンストップショップ」アプローチを提供してもよい。その結果、新しく取得した装置の温室効果ガス排出レベルを追跡し、かつこれらの取得による温室効果ガス排出のどんな増加も相殺するために、相応しい数の温室効果ガスクレジットを取得するように保証する専門の追加システムまたは人員の必要性の減少が可能である。
【００３８】
開示した温室効果ガスクレジットを製品取引とパッケージ化するシステムおよび方法に対して、様々な修正および変更を本発明の範囲から逸脱せずに行い得ることが、当業者には明らかであろう。本明細書の考察および本開示の実施から、本開示の他の実施形態が当業者に明らかになるであろう。本明細書および例が、単に例示的なものとして考慮され、かつ本開示の真の範囲が、特許請求項およびそれらの均等物によって示されるように意図されている。
【図面の簡単な説明】
【００３９】
【図１】温室効果ガスクレジットを製品取引とパッケージ化するための例示的なシステムを示す。
【図２】製品に関連する取引パッケージを組み立てるための例示的な開示した方法のフローチャート図である。
【符号の説明】
【００４０】
１１０  システム
１１１  中央処理装置（ＣＰＵ）
１１２  ランダムアクセスメモリ（ＲＡＭ）
１１３  読み出し専用メモリ（ＲＯＭ）
１１４  記憶装置
１１５  データベース
１１６  入力／出力（Ｉ／Ｏ）装置
１１７  インタフェース
２００  フローチャート
２１０  ステップ：装置仕様書を受信する
２２０  ステップ：製品に関連する温室効果ガス排出量を決定する
２３０  ステップ：排出の一部を相殺する温室効果ガスクレジット量を決定する
２４０  ステップ：温室効果ガスクレジットおよび製品を含む取引価格を決定する
２５０  ステップ：取引価格に基づいて、取引パッケージを顧客に提供する
【図１】
2009532762.tif 000003
【図２】
2009532762.tif 000004
【国際調査報告】
2009532762.tif 000005